(57)【要約】【課題】組積みの際に配筋可能な建築用のコンクリートブロックにおいて、土壌を用いた植栽が上記のブロック１個でも可能とし、かつ土壌を上記ブロックの上から充填すること、２個のブロックを組み合わせて１個のプランターを形成すること、またブロックの厚みを増大させずに土壌の充填量を多くすること、更に容易な成型を可能にする。【解決手段】互いに平行な前面板１１および背面板１２と、これらを連結する中間部１３とによって横長の直方体形状に形成され、中間部１３の上面に植栽用竪穴１３cが横に長く凹設され、中間部１３の左右両端面に植栽用竪穴１３cを挟んで縦筋配置用縦溝１３aが形成され、前面板１１、後面板１２の少なくとも一方の上縁に沿って覗き窓１１aが切り欠き状に形成される。【選択図】      図１
2006211964.tif 000002
【特許請求の範囲】
【請求項１】
組積みにより建物の壁や塀の建設に用いられる建築用のコンクリートブロックにおいて、互いに平行な前面板および背面板と、これらを連結する中間部とによって横長の直方体形状に形成され、上記中間部の上面に植栽用竪穴が横に長い溝穴状に凹設され、上記中間部の左右両端面に上記の植栽用竪穴を挟んで縦筋用縦溝が形成され、上記の前面板および後面板の少なくとも一方の上縁に沿って覗き窓が切り欠き状に形成されていることを特徴とする植栽用コンクリートブロック。
【請求項２】
中間部の下面に横筋用横溝が左右の縦筋用縦溝と交差するように形成された請求項１記載の植栽用コンクリートブロック。
【請求項３】
植栽用竪穴の底部に１本または２本以上の縦孔が穿孔されている請求項１または２に記載の植栽用コンクリートブロック。
【請求項４】
中間部の上面に凹設された植栽用竪穴が幅方向の仕切り板を挟んで前側の第１竪穴と後側の第２竪穴とに仕切られ、中間部の下面に上記の第１竪穴と対向する横筋用横溝および上記の第２竪穴と対向する配管用横溝がそれぞれ上記の中間部を横切って形成され、この中間部の左右両端面に上記の第１竪穴を挟んで縦筋用縦溝が下方の横筋用横溝と交差するように形成され、かつ上記第２竪穴の左右両端の底部に配管用縦孔が下方の配管用横溝と連通するように設けられ、上記の前面板、仕切り板および背面板の各上縁に沿って覗き窓が切り欠き状に形成された請求項１記載の植栽用コンクリートブロック。
【発明の詳細な説明】
【技術分野】
【０００１】
この発明は、植栽用コンクリートブロックに関し、通常の建築用コンクリートブロックと同様に建物の壁や塀の組積みに用いて壁や塀の少なくとも一部に植栽用のプランターを形成するために用いられる。
【背景技術】
【０００２】
壁や塀の建設に用いる建築用コンクリートブロックとして、プランターを兼ねる植栽用コンクリートブロックが知られている。例えば、下記の特許文献１には、ブロック塀の建設に用いられる三芯空洞コンクリートブロックの前面板を厚い板状に形成し、この厚く横に長い長方形の前面板に底の無い空洞を設け、前面上部に窓孔を開口し、さらに左右の側面上部に上記の空洞に連通する孔を開け、この左右の孔にまたがって給水パイプを差し渡し、上記の空洞に前面の窓孔から土壌、植物の種子、肥料等詰めたカセットを挿入し、このカセット上に上方の吸水パイプから散水できるようにしたものが開示されている。
【特許文献１】特開平１０−３７３７７号公報
【０００３】
上記の植栽用コンクリートブロックは、前面板に空洞を形成し、これを植栽用に用いるものであり、この空洞に配置したカセットから植物が生長し、この植物が前面板の窓孔を通じて外部に突出するので、塀または建物の外壁を植物の葉等で覆うことができる。しかしながら、上記の植栽用コンクリートブロックは、三芯空洞コンクリートブロックの前面板を厚く形成して植栽用の空洞を形成するものであるから、この植栽用空洞を大きくすれば、コンクリートブロック全体が大型になり、また植栽用空洞自体には底板がなく、組積みした際に下側のコンクリートブロックの上面が底板の役割をするので、用途が限られ、土壌を直に充填するには不便であり、また植栽用空洞の前面には窓孔があっても背面には窓がないため、遮音性があっても、日光や風が入らず、更に構造が複雑になり成型が困難である等の問題があった。
【０００４】
また、下記の特許文献２には、ブロックを左右の側壁と上下の壁とで直方体の筒状に形成し、その内側空間中央部を縦壁で前後に仕切って、ブロックの表裏両側に植栽用空間を形成し、前後の下壁にそれぞれ土壌収容部を形成した緑化壁用ブロックが開示されている。このブロックは、組積みして建設された塀や壁の表裏両面を緑化することができ、縦壁の存在により遮音性が得られる反面、通風性に欠け、また表裏の片側しか日光が当たらず、また組積みの際に縦筋および横筋のいずれも配筋が不可能であり、そのため補強には隣接するブロックをボルトで連結する必要があり、また表裏の土壌収容部が縦壁で遮断されているため、土壌が少量となり、更に構造上成型が困難になる等の問題があった。
【特許文献２】特開平１１−１９３５１１号公報
【発明の開示】
【発明が解決しようとする課題】
【０００５】
この発明は、組積みにより塀や壁を建設し、その際に縦筋および横筋のうち少なくとも縦筋を配置することができるコンクリートブロックであって、かつ土壌を用いた植栽が上記のブロック１個でも可能であり、土壌を上記ブロックの上から充填することができ、また２個のブロックを組み合わせて１個のプランターを形成することもでき、またブロックの厚みを増大させずに土壌の充填量を多くすることができ、更に成型が容易な植栽用コンクリートブロックを提供する。
【課題を解決するための手段】
【０００６】
この発明に係る植栽用コンクリートブロックは、組積みにより建物の壁や塀の建設に用いられる建築用のコンクリートブロックにおいて、互いに平行な前面板および背面板と、これらを連結する中間部とによって横長の直方体形状に形成され、上記中間部の上面に植栽用竪穴が横に長く凹設され、上記中間部の左右両端面に上記の植栽用竪穴を挟んで縦筋用縦溝が形成され、上記の前面板および後面板の少なくとも一方の上縁に沿って覗き窓が切り欠き状に形成されていることを特徴とする。
【０００７】
上記の植栽用コンクリートブロックは、互いに平行な前面板および背面板と、これらを連結する中間部とによって横長の直方体形状に形成されるため、上下左右に目地モルタルを塗布しながら組積みすることにより、垂直な壁面を形成することができ、かつ中間部の左右両端面に縦筋用縦溝が形成されているので、縦筋を配置し、コンクリートを打ち込んで補強することができる。また、中間部の上面に横長の植栽用竪穴が凹設されており、かつ上記植栽用竪穴の前後に位置する前面板および後面板の少なくとも一方の上縁に沿って覗き窓が切り欠き状に形成されているので、組積み後に上記の覗き窓を利用して植栽用竪穴の底部に土壌を充填し、この充填後に植物の種子を蒔き、散水し、更に日光や風を入れることができる。また、上記の前面板と背面板の間の中間部上面に植栽用竪穴を凹設するものであり、この中間部には左右両端に縦筋用縦溝が設けられるのみであるから、この縦筋用縦溝を除いた中間部上面の全域を用いて広い面積の植栽用竪穴を凹設することができる。
【０００８】
そして、前面板および背面版の一方に覗き窓を形成した場合は、その他方が残されるので遮音性が得られる。これに対し、前面板および背面版の両方に覗き窓を形成した場合は、日光や風の取り入れに方向性が無くなり通風性および採光性が向上する。また、上記の植栽用コンクリートブロックは、あらかじめ左右対称に形成した場合、その２個を上下に重ねて組積みし、その際、下側ブロックは覗き窓を通常どおり上向けに用い、上側ブロックは反対に覗き窓を下向けに用いて上下の植栽用竪穴を合体させることができ、この場合は２個のブロックで１個の屋根付きプランターが形成され、塀や壁の外観に変化を与えることができる。また、溝や孔等の空間部分を上下に分離するコンクリート部分が植栽用竪穴の底部のみであるから、抜き型を用いて容易に成型することができる。
【０００９】
上記の植栽用コンクリートブロックは、中間部の下面に横筋用横溝を左右の縦筋用縦溝と交差するように設けることができ、この場合は組積みの際、この横筋用横溝に横筋を配置し、コンクリートを打ち込んで塀や壁を補強することができ、また横筋を配置する代わりに散水用のパイプや照明灯を配置し、下のブロックの植栽用竪穴に対する散水や照明に利用することができる。また、植栽用竪穴の底部に１本または２本以上の縦孔を開けることができる。この縦孔は、組積みした際、下側ブロックの植栽用竪穴の真上に開口するので、その太さに応じて土壌の排水用または給水パイプの配管用、照明用電線の配線用等に用いることができる。
【００１０】
また、この発明の植栽用コンクリートブロックは、中間部の上面に凹設された植栽用竪穴が幅方向の仕切り板を挟んで前側の第１竪穴と後側の第２竪穴とに仕切られ、中間部の下面に上記の第１竪穴と対向する横筋用横溝および上記の第２竪穴と対向する配管用横溝がそれぞれ上記の中間部を横切って形成され、この中間部の左右両端面に上記の第１竪穴を挟んで縦筋用縦溝が下方の横筋用横溝と交差するように形成され、かつ上記第２竪穴の左右両端の底部に配管用縦孔が下方の配管用横溝と連通するように設けられ、上記の前面板、仕切り板および背面板の各上縁に沿って覗き窓が切り欠き状に形成された構造とすることができる。
【００１１】
この場合は、常法にしたがって組積みし、第１竪穴の左右の縦筋用縦溝に縦筋を、また第１竪穴の下の横筋用横溝に横筋をそれぞれ配筋し、コンクリートを打ち込んで塀や壁を建設することができる。そして、第１竪穴に土壌を充填し、第２竪穴の左右両端の配管用縦孔に給水パイプを通し、第２竪穴下方の配管用横溝に散水パイプを通し、その両端を上記左右の給水パイプに接続して給水することにより、第２竪穴下方の配管用横溝に設けた散水パイプから下向きに、すなわち下段側ブロックの第１竪穴に向かって散水することができる。この場合、上記の散水は、下段側ブロックの中間部の仕切り板に設けた覗き窓を通して支障なく行なわれる。また、上記の配管用縦孔に上記給水パイプに代えて電線を通し、配管用横溝に上記散水パイプに代えて照明灯を配置し、下段側第１竪穴の照明に利用することもできる。そして、この場合、溝や孔等の空間部分を上下に分離するコンクリート部分は、第１竪穴および第２竪穴の底部のみであるから、前記同様に抜き型を用いて容易に成型することができる。なお、第１竪穴および第２竪穴の溝幅（前後方向の寸法）は、第１竪穴を第２竪穴よりも大きくすることが好ましい。また、この植栽用コンクリートブロックは、第１竪穴および第２竪穴を前記同様に下に向けて用いることができる。
【発明の効果】
【００１２】
この発明は、通常の建築用コンクリートブロックと同様に組積みによって垂直な塀や壁を建設し、中間部左右の縦筋用縦溝を利用して縦筋を配置し、コンクリートを打ち込んで補強することができ、かつ通常の建築用コンクリートブロックと同様に成型が容易である。そして、組積み後は、前面板または後面板に設けた覗き窓から中間部の植栽用竪穴に土壌を充填し、この土壌に植物の種子を蒔き、散水し、更に日光や風を入れることができる。また、上記の植栽用竪穴は、上記の縦筋用縦溝を除いた中間部上面の全域を用いて広い面積に形成することができる。そして、前面板および背面版の一方に覗き窓を形成した場合は、遮音性が得られ、前面板および背面版の両方に覗き窓を形成した場合は、通風性および採光性が向上する。また、上記の覗き窓は、前面板および背面板の上縁を切り欠いて形成されるので、その２個を上下に重ねる際、上側ブロックを下向けに用いて上下の植栽用竪穴を合体させ、植栽用の空洞部を２倍に大型化し、かつ外観に変化を与えることができる。
【００１３】
特に請求項２にかかる発明は、中間部の下面に横筋用横溝を左右の縦筋用縦溝と交差して設けたものであるから、組積みの際に横筋を配置し、コンクリートを打ち込んで補強したり、また横筋の代わりに散水用のパイプや照明灯を配置して下方ブロックに対する散水や照明に利用したりすることができる。また、請求項３に係る発明は、植栽用竪穴の底部に１本または２本以上の縦孔を穿孔したものであるから、土壌の排水用または給水パイプの配管用、照明用電線の配線用等に用いることができる。また、請求項４に係る発明は、組積みして建設される塀や壁を縦筋および横筋で補強することができ、しかも土壌を充填した第１竪穴に対する散水や照明が可能であり、通風性および採光性が良く、更に通常のコンクリートブロックと同様に成型性も良好である。
【発明を実施するための最良の形態】
【００１４】
実施形態１
図１において、植栽用コンクリートブロック１０は、全体として横に長い直方体形状に成型されたものであり、横に長い長方形の前面板１１および背面板１２と、これらに挟まれた中間部１３とからなり、この中間部１３の左右両端面には縦筋配置用の縦溝１３aが、また下面には横筋配置用の横溝１３bがそれぞれ形成され、また上面には植栽用竪穴１３cが上記の縦溝１３a、横溝１３bと干渉しない程度に左右に長く、かつ下方に深く形成されている。そして、前面板１１の上縁に沿って切り欠き状の覗き窓１１aが左右対称な台形状に形成されている。ただし、この覗き窓１１aは、下辺１１bが上辺よりも短く形成され、かつ下辺１１bが上記植栽用竪穴１３cの底面１３dよりも上に位置し、上記植栽用竪穴１３cの底面１３d上に植栽用土壌を充填できるようになっている。
【００１５】
上記の植栽用コンクリートブロック１０は、その多数個を組積みし、上下左右の隣接部に目地モルタルを挟み、かつ上記の縦溝１３aには縦筋を、また横溝１３bには横筋をそれぞれ配置し、更にコンクリートを打ち込んで塀や壁を作ることができる。その際、図２（ａ）に示すように、上記の植栽用コンクリートブロック１０のみを用いてもよく、また図２（ｂ）に示すように、通常のコンクリートブロック１０Ａと併用し、塀や壁の一部に上記の植栽用コンクリートブロック１０を用いてもよい。なお、Ｅは植栽用竪穴１３cに充填した土壌を示す。また、図２（ｃ）に示すように、上記の植栽用コンクリートブロック１０を２個、上下に重ねる場合、上側ブロック１０を逆さに用い、その植栽用竪穴１３cを下向きとし、上下２個の植栽用コンクリートブロック１０の植栽用竪穴１３cを合体させることができる。
【００１６】
実施形態２
図３に示す植栽用コンクリートブロック２０は、前記実施形態１（図１参照）の植栽用コンクリートブロック１０と同様に、前面板２１、背面板２２および中間部２３からなり、この中間部２３には縦筋配置用の縦溝２３a、横筋配置用の横溝２３bおよび植栽用竪穴２３cが形成され、前面板２１の上縁に沿って切り欠き状の覗き窓２１aが左右対称な台形状に形成されている。ただし、この実施形態２では、背面板２２の上縁にも覗き窓２２aが前面板２１と同様に形成されている。したがって、前記実施形態１に比べて遮音性が低下する反面、通風性および採光性が改善される。そして、この実施形態２では、前面板２１の表面に左右一対の飾り板２１bが左右に分離して一体に形成され、背面板２２の表面にも同様の飾り板２２b（図示されていない）が形成される。したがって、組積みで得られる塀や壁の意匠性が向上する。
【００１７】
実施形態３
図４および図５に示す実施形態３の植栽用コンクリートブロック３０は、前記同様に、前面板３１、背面板３２および中間部３３からなり、この中間部３３には縦筋配置用の縦溝３３aおよび植栽用竪穴３３cが形成される。ただし、横筋配置用の横溝は省略される。また、前面板３１の覗き窓３１aおよび背面板３２の覗き窓３２aは、それぞれ長方形状に形成され、前面板３１および背面板３２の幅方向中心にそれぞれ上下方向の飾り線３１bおよび３２b(図示されていない)が凹設される。そして、この実施形態３では、上記の植栽用竪穴３３cの底面３３dが前下がりに傾斜し、かつ隅に丸みを付して形成され、この底面３３dの最低部に排水用の細い縦孔３３eが１本以上設けられ、また底面３３dの前部左右に給水パイプの配管や導電線の配線用として太い縦孔３３fが上記植栽用竪穴３３cの前部を左右方向外側へ広げるように設けられている。なお、図５において、Ｍは組積みの際に用いた目地モルタルを示す。
【００１８】
実施形態４
図６、図７および図８に示す実施形態４の植栽用コンクリートブロック４０は、前記同様に、前面板４１、背面板４２および両者間に挟まれた中間部４３で構成される。ただし、この実施形態４では、この中間部４３の上面に前記の植栽用竪穴を仕切り板４３dで前後に仕切った形に２個の竪穴、すなわち前面側の第１竪穴４３cおよび背面側の第２竪穴４３eが横に長く、かつ互いに平行に形成される。なお、この実施形態４では、上記の第１竪穴４３cおよび第２竪穴４３eの幅（前後方向の寸法）は、第１竪穴４３cが大きく設定され、長さ（左右方向の寸法）は第２竪穴４３eが大きく設定される。
【００１９】
そして、第１竪穴４３cの左右両側に縦筋配置用の縦溝４３aが、また下方に横筋配置用横溝４３bがそれぞれ設けられ、上記第２竪穴４３eの下方に配管用横溝４３fが設けられ、上記の前面板４１、背面板４２および仕切り板４３dの上縁に、それぞれ長方形の覗き窓４１a、４２aおよび４３gが形成され、更に上記第２竪穴４３eの底部左右に配管用縦孔４３hが開けられ、第２竪穴４３eと配管用横溝４３fとが配管用縦孔４３hで連絡される。
【００２０】
この実施形態４の植栽用コンクリートブロック４０は、他の型の植栽用コンクリートブロック、例えば前記実施形態３の植栽用コンクリートブロック３０と組合わせて用いることができる。この場合は、図８に示すように、実施形態３の植栽用コンクリートブロック３０を下にし、その上に目地モルタルＭを介して実施形態４の植栽用コンクリートブロック４０を重ね、その横筋用横溝４３bに横筋Ｈを挿通し、下段のブロック３０の縦筋用縦溝３３aおよび上段のブロック４０の縦筋用縦溝４３aに縦筋（図示されていない）を配置する。ただし、上段のブロック４０は、その上下および前後を反対にし、下段のブロック３０の前面板３１上に上段ブロック４０の背面板４２を重ね、下段ブロック３０の太い縦孔３３fおよび上段ブロック４０の配管用縦孔４３hに給水パイプ（図示されていない）を挿通し、上段ブロック４０の配管用横溝４３f上に散水パイプＰを通し、その端部を上記の給水パイプに接続し、散水パイプＰから下段ブロック３０上の土壌Ｅに散水させる。
【００２１】
また、上段および下段に実施形態４の植栽用コンクリートブロック４０を配置することもでき、この場合は、上段および下段のブロック４０の向きを上下左右とも揃えることにより、配管用縦孔４３hの位置を合せて給水パイプを挿通することができる。したがって、下段ブロック４０の第１竪穴４３cに土壌を投入し、これに上段ブロック４０の散水パイプＰから散水が可能である。また、上段ブロック４０の前後方向は下段と一致させ、上下の向きを反対にして配管用縦孔４３hの位置を合せることもでき、この場合も配管用縦孔４３hに給水パイプを挿通し、下段ブロック４０の第１竪穴４３cに土壌を投入し、これに上段ブロック４０の散水パイプＰから散水することができる。
【図面の簡単な説明】
【００２２】
【図１】実施形態１の一部を破砕した斜視図である。
【図２】組積み状態を例示する正面図である。
【図３】実施形態２の斜視図である。
【図４】実施形態３の一部を破砕した斜視図である。
【図５】実施形態３の組積み状態を示す縦断面図である。
【図６】実施形態４の斜視図である。
【図７】図６のＡ−Ａ線断面図である。
【図８】実施形態３、４のブロックを併用した組積み状態を示す縦断面図である。
【符号の説明】
【００２３】
１０、２０、３０、４０：植栽用コンクリートブロック
１１、２１、３１、４１：前面板
１１a、２１a、３１a、４１a：覗き窓
１２、２２、３２、４２：背面板
１２a、２２a、３２a、４２a：覗き窓
１３、２３、３３、４３：中間部
１３a、２３a、３３a、４３a：縦筋配置用縦溝
１３b、２３b、４３b：横筋配置用横溝
１３c、２３c、３３c：植栽用竪穴
３３e、３３f：縦孔
４３c：植栽用第１竪穴、４３d：仕切り板、４３e：植栽用第２竪穴
４３f：配管用横溝、４３g：覗き窓
Ｍ：目地モルタル、Ｅ：植栽用土壌、Ｐ：散水パイプ
【図１】
2006211964.tif 000003
【図２】
2006211964.tif 000004
【図３】
2006211964.tif 000005
【図４】
2006211964.tif 000006
【図５】
2006211964.tif 000007
【図６】
2006211964.tif 000008
【図７】
2006211964.tif 000009
【図８】
2006211964.tif 000010